(57)【要約】【課題】袖瓦１を切断加工することなく袖瓦１の軒棟方向の働き寸法を調節することができ、袖瓦１が取り付けられた際の美観もよく、防水性も良好な屋根のけらば構造を提供する。【解決手段】屋根上面に載置される袖瓦本片２と、袖瓦本片２の側端部から垂下して屋根側面を覆う袖瓦側片３とを備えた袖瓦１を用いる。軒側の袖瓦１の棟側端部の上に棟側の袖瓦１の軒側端部を重ねて複数の袖瓦１を軒棟方向に取り付ける。上記袖瓦側片３は棟側端部に軒棟方向と垂直な方向に凹段された凹段部５を有しており、軒側の袖瓦１の凹段部５に棟側の袖瓦１の軒側端部を軒棟方向での重ね合わせ幅を調節自在に重ねる。以上のようにして屋根のけらば構造を構成する。【選択図】図１
2010275767.tif 000002
【特許請求の範囲】
【請求項１】
屋根上面に載置される袖瓦本片と、袖瓦本片の側端部から垂下して屋根側面を覆う袖瓦側片とを備えた袖瓦を用い、軒側の袖瓦の棟側端部の上に棟側の袖瓦の軒側端部を重ねて複数の袖瓦を軒棟方向に取り付けた屋根のけらば構造であって、上記袖瓦側片は棟側端部に軒棟方向と垂直な方向に凹段された凹段部を有し、軒側の袖瓦の凹段部に棟側の袖瓦の軒側端部を軒棟方向での重ね合わせ幅を調節自在に重ねて成ることを特徴とする屋根のけらば構造。
【請求項２】
上記凹段部の表面に、上下方向に切り込まれた溝部が軒棟方向に沿って複数設けられていることを特徴とする請求項１に記載の屋根のけらば構造。
【請求項３】
上記袖瓦側片の表面に、上下方向に切り込まれた溝部が軒棟方向に沿って複数設けられていることを特徴とする請求項１又は２に記載の屋根のけらば構造。
【発明の詳細な説明】
【技術分野】
【０００１】
本発明は、複数の袖瓦を重ね幅寸法を調節して軒棟方向に重ねた屋根のけらば構造に関するものである。
【背景技術】
【０００２】
従来から、屋根のけらば部の構造として、袖瓦１を重ねて取り付けた構造が知られている（例えば、特許文献１、２）。
【０００３】
図８は、従来の袖瓦１の一例を示している。この袖瓦１は、屋根面の上に載置される袖瓦本片２と、袖瓦本片２の側端部から垂下して屋根側面を覆う袖瓦側片３とを備えて構成されている。（ａ）は、袖瓦本片２の袖瓦側片３が設けられた側端部とは反対側の側端部に軒棟方向と垂直な方向に隣接する平瓦３１が上から重ねられる際の受け部となる下重ね片２１を備えた袖始瓦１ａである。（ｂ）は、袖瓦本片２の袖瓦側片３が設けられた側端部とは反対側の側端部が軒棟方向と垂直な方向に隣接する平瓦３１の上に重ねられる袖終瓦１ｂである。
【０００４】
図７は、上記のような袖瓦１を用いた従来の切妻屋根の構造の一例を示している。この屋根構造においては、屋根の両側端部に袖瓦１が用いられており、屋根の一方の側端部には袖始瓦１ａが用いられ、屋根の他方の側端部には袖終瓦１ｂが用いられている。屋根瓦の各段（軒棟方向と垂直な方向の列）は、屋根の両側端部の袖瓦１とその間に敷き詰められた平瓦３１とによって構成され、各段は軒棟方向で重ねられて取り付けられている。
【０００５】
屋根瓦を取り付けるにあたっては、屋根の軒側端部に軒棟方向と垂直な方向（葺き方向）に一段目の屋根瓦（袖瓦１、平瓦３１）を取り付け、次に、二段目、三段目、・・・と軒側から棟側に向かって各段の屋根瓦をとりつける。このとき、葺き始めのけらば部には袖始瓦１ａを用い、葺き終わりのけらば部には袖終瓦１ｂを用いる。
【０００６】
ここで、二段目以降の屋根瓦を葺き方向に取り付けるには、まず屋根の一方の側端部の既に取り付けられた軒側の袖瓦１（袖始瓦１ａ）の上に他の袖瓦１（袖始瓦１ａ）を取り付ける。その際、袖瓦１の軒側端部を既に取り付けられた軒側の袖瓦１の棟側端部の上に重ねるとともに、袖瓦側片３で屋根側面の屋根下地を覆う。次に、平瓦３１の側端部を袖瓦１の側端部に設けられた下重ね片２１の上に重ねて取り付ける。次いで、取り付けられた平瓦３１の上に他の平瓦３１を葺き方向に複数枚順次側端部を重ねて取り付ける。最後に、屋根の他方の側端部に袖瓦１（袖終瓦１ｂ）を、袖終瓦１ｂの軒側端部を既に取り付けられた軒側の袖終瓦１ｂの棟側端部の上に重ねるとともに袖瓦側片３により屋根の他方の側面の屋根下地を覆うようにして取り付ける。このようにして二段目以降の屋根瓦を取り付けることができるものである。なお、各屋根瓦は釘打ちされるなどして屋根下地に固定される。
【０００７】
ところで、上記のような切妻屋根にあっては、屋根の軒棟方向の長さに合わせたり屋根の美観を調えたりするために、外部に露出する瓦の軒棟方向（以下、流れ方向ともいう）の幅寸法、すなわち流れ方向の働き寸法を調節する必要がある。特に屋根にすがり部のような屋根側面の切込まれた部分がある場合、流れ方向の働き寸法の調節は必須となる。その際、平瓦３１においては各段の軒棟方向の重ね合わせ幅を調節することによって流れ方向の働き寸法を調節することができるが、袖瓦１においては軒棟方向で隣接する袖瓦側片３が互いに邪魔をし合うので働き寸法の調節をすることができない。そこで、図８の斜線部分（Ｘ）で示される袖瓦側片３の軒側端部を切断加工し袖瓦側片３の軒棟方向の長さを短くして、軒側に配置される袖瓦１の袖瓦側片３の棟側端面に、棟側に配置される袖瓦１の袖瓦側片３の軒側端面を突き合わせて袖瓦１を取り付けて、袖瓦１の流れ方向の働き寸法を調節している。
【０００８】
しかしながら、上記のような袖瓦１の袖瓦側片３の一部を切断して流れ方向の働き寸法を調節する構造では、現場において各段に配置される袖瓦１を切断加工しなければならず、施工に手間がかかっており、また、切断により廃材が発生するため、この廃材の処理にも手間がかかっていた。そして施工手間が増大する結果、施工コストが高くなるという問題があった。また、切断加工において切断寸法を誤るなどした場合、軒棟方向で隣り合う袖瓦側片３の間に隙間ができてしまったり、流れ方向の働き寸法のバラツキなどができてしまったりして美観を損ねるおそれがあるものであった。また、袖瓦側片３の間に隙間ができた場合、雨水が浸入しやすくなり防水性が悪くなるおそれがあった。
【先行技術文献】
【特許文献】
【０００９】
【特許文献１】特開平１１−１１７４６２号公報
【特許文献２】特開２００３−１８４２２７号公報
【発明の概要】
【発明が解決しようとする課題】
【００１０】
本発明は上記の点に鑑みてなされたものであり、袖瓦１を切断加工することなく袖瓦１の軒棟方向の働き寸法を調節することができ、袖瓦１が取り付けられた際の美観もよく、防水性も良好な屋根のけらば構造を提供することを目的とするものである。
【課題を解決するための手段】
【００１１】
上記課題を解決するために、本発明は次の構成からなるものである。
【００１２】
請求項１の発明は、屋根上面に載置される袖瓦本片２と、袖瓦本片２の側端部から垂下して屋根側面を覆う袖瓦側片３とを備えた袖瓦１を用い、軒側の袖瓦１の棟側端部の上に棟側の袖瓦１の軒側端部を重ねて複数の袖瓦１を軒棟方向に取り付けた屋根のけらば構造であって、上記袖瓦側片３は棟側端部に軒棟方向と垂直な方向に凹段された凹段部５を有し、軒側の袖瓦１の凹段部５に棟側の袖瓦１の軒側端部を軒棟方向での重ね合わせ幅を調節自在に重ねて成ることを特徴とする屋根のけらば構造である。
【００１３】
請求項２の発明は、上記構成において、上記凹段部５の表面に、上下方向に切り込まれた溝部６が軒棟方向に沿って複数設けられていることを特徴とする屋根のけらば構造である。
【００１４】
請求項３の発明は、上記構成において、上記袖瓦側片３の表面に、上下方向に切り込まれた溝部６が軒棟方向に沿って複数設けられていることを特徴とする屋根のけらば構造である。
【発明の効果】
【００１５】
請求項１の発明によれば、袖瓦を軒棟方向に取り付ける際に、袖瓦側片に形成された凹段部に棟側の袖瓦の軒側端部を軒棟方向での重ね合わせ幅を調節自在に重ねて屋根のけらば部を形成することができるので、袖瓦側片を軒棟方向と垂直な方向で揃えて複数の袖瓦を取り付けることができ、美観が良好になるものであり、また、袖瓦を切断加工することなく袖瓦の軒棟方向の働き寸法を調節することができ、施工の手間を省くとともに廃材の発生をなくして施工コストを低減させることができるものである。また、袖瓦が取り付けられた際の屋根の側面は、一定のピッチで凹段部の一部が露出して軒棟方向に連続した模様を形成するので意匠性を損なうことがなく、また、凹段部には棟側の袖瓦の軒側端部が重ねられるので屋根下地が見えることがなく、けらば部の美観を良好にすることができるものである。また、軒側の袖瓦の凹段部と棟側の袖瓦の軒側端部との重なりにより軒棟方向と垂直な方向に隙間ができることがないので屋根下地が露出するようなことがなく、屋根の防水性を良好にすることができるものである。
【００１６】
請求項２の発明によれば、溝部が軒棟方向に沿って複数設けられていることにより、この溝部を袖瓦を重ね合わせる際の目印として機能させることができ、施工性を向上させることができるものである。また、軒棟方向で隣り合う袖瓦側片の隙間から毛細管現象で雨水が浸入してきた場合でも、凹段部に上下に切り込まれた溝部が水切溝として働いて水の浸入を防ぐことができるので、防水性を向上することができるものである。
【００１７】
請求項３の発明によれば、複数の溝部が屋根の側面で軒棟方向に沿って連続した縦縞模様を形成するので、凹段部により形成される段差や袖瓦の重なりにより発生する隙間を目立ちにくくすることができ、美観を向上することができるものである。
【図面の簡単な説明】
【００１８】
【図１】本発明の実施の形態の一例を示しており、（ａ）は斜視図、（ｂ）は側面図である。
【図２】本発明に用いる袖瓦の一例を示しており、（ａ）は斜視図、（ｂ）は（ａ）のイ−イ線断面図である。
【図３】本発明の実施の形態の他の一例を示しており、（ａ）は袖瓦の斜視図、（ｂ）は上下方向の断面図である。
【図４】本発明の実施の形態の他の一例に用いる袖瓦の斜視図を示している。
【図５】本発明の実施の形態の他の一例を示しており、（ａ）は斜視図、（ｂ）は袖瓦の斜視図である。
【図６】本発明の実施の形態の他の一例を示しており、（ａ）は袖瓦の斜視図、（ｂ）は上下方向の断面図である。
【図７】従来の切妻屋根の構造の一例を示す斜視図である。
【図８】従来の袖瓦の一例を示す斜視図である。
【発明を実施するための形態】
【００１９】
図１は、本発明の屋根のけらば構造の実施の形態の一例であり、（ａ）は斜視図、（ｂ）は側面図（屋根側面から見た図）である。図示の屋根のけらば構造においては、複数の袖瓦１が軒棟方向に取り付けられており、軒側の袖瓦１の棟側端部の上に棟側の袖瓦１の軒側端部が重ねられている。
【００２０】
図２は、図１の屋根のけらば構造に用いる袖瓦１の一例であり、（ａ）は斜視図、（ｂ）はイ−イ線断面図を示している。この袖瓦１は、屋根上面に載置される袖瓦本片２と、袖瓦本片２の一方の側端部から袖瓦本片２と垂直な方向に垂下して形成された袖瓦側片３とを備えている。袖瓦本片２は、厚み寸法が略均一となった板状体で形成されている。袖瓦本片２の他方の側端部には、袖始瓦１ａの場合、平瓦３１の側端部の受け片となる下重ね片２１（図示省略、図８参照）を形成することができ、袖終瓦１ｂの場合、平瓦３１の側端部に上から重ねる上重ね部（不図示）を設けることができる。
【００２１】
袖瓦側片３は、袖瓦１の軒側端部から棟側端部に亘って軒棟方向に沿って形成され、上下方向の長さが徐々に短くなる台形状の板状体で形成されている。袖瓦側片３の軒側端部の上下方向の長さは、袖瓦側片３の棟側端部の上下方向の長さに袖瓦本片２の厚みを足したものとほぼ等しい長さになっている。そして、袖瓦側片３の棟側端部には、軒棟方向と平行に形成された凹段底面１１と、軒棟方向と垂直に形成された凹段側面１２とによって上下方向に亘って凹段された凹段部５が設けられている。この凹段部５の凹段寸法すなわち凹段側面１２の軒棟方向と垂直な方向の長さは、袖瓦側片３の軒側端部の厚み寸法と同一かそれよりわずかに長く形成されている。それにより、棟側で隣り合う袖瓦１を取り付ける際に、袖瓦側片３の軒側端部を軒側に取り付けられた袖瓦１の凹段部５の外側から重ねるとともに軒棟方向と垂直な方向の配置を軒側に取り付けられた袖瓦１に揃えて袖瓦１を位置あわせすることができるようになっている。また、凹段部５（凹段底面１１）の軒棟方向の長さは、袖瓦側片３の軒棟方向の全長の半分よりも短く形成されている。
【００２２】
袖瓦１の寸法としては、例えば、軒棟方向と垂直な働き寸法を１００〜２００ｍｍ程度にするとともに、流れ方向の働き寸法を２００〜３００程度にすることができる。またこのとき、軒側の袖瓦１の凹段部５と棟側の袖瓦１の軒側端部とが重ねられた際に、外部に露出する凹段底面１１の軒棟方向の長さは、１０〜２０ｍｍ程度であることが好ましい。
【００２３】
次に、上記の袖瓦１を用いて切妻屋根のけらば構造を形成する方法について説明する。
【００２４】
屋根瓦の取り付けについては、概略、図７と同様の方法によって取り付けることができる。すなわち、屋根瓦を軒棟方向と垂直な方向（葺き方向）に取り付けて軒側の一段目の屋根瓦を敷設した後、二段目、三段目と、各段の屋根瓦を重ねながら軒から棟に向かって敷設する。
【００２５】
ここで、屋根のけらば構造においては、屋根の一方の側端部の既に取り付けられた軒側の袖瓦１の上に他の袖瓦１を取り付ける。その際、袖瓦１の軒側端部を軒側の袖瓦１の棟側端部の上に重ねるとともに、軒側の袖瓦１の凹段部５の外側から取り付けようとする袖瓦１の袖瓦側片３の軒側端部を重ねる。このとき、軒側の袖瓦１の凹段部５は、取り付けようとする袖瓦１の袖瓦側片３の軒側端部の内面よりも内側に配置されており、袖瓦側片３同士が衝突するようなことがなく、袖瓦１を軒棟方向での重ね合わせ幅が調節自在になっているので、重ね合わせ幅を調節し袖瓦１の流れ方向の働き寸法を所望のものにして重ねることができる。また、凹段寸法が袖瓦側片３の軒側端部の厚み寸法と同一かそれよりも長くなって凹段部５が形成されているので、袖瓦１の葺き方向の位置を軒側の袖瓦１に揃えて取り付けることができる。こうして、各段の袖瓦１を軒から棟に向かって取り付けることにより、図１のような屋根のけらば構造を形成することができるものである。なお、図７と同じ葺き方向の場合、図１における袖瓦１は袖始瓦１ａとなり、図７とは逆の葺き方向の場合、図１における袖瓦１は袖終瓦１ｂとなる。
【００２６】
図１（ｂ）で示すように、屋根の側面は一定のピッチで凹段部５の一部が露出して軒棟方向に連続した模様を形成している。したがって、意匠性を損なうことがなく美観を良好にすることができるものである。また、袖瓦１の凹段部５に棟側の袖瓦１の袖瓦側片３の軒側端部が重ねられて袖瓦側片３が全体として屋根側面を覆うので屋根側面の屋根下地が見えることがなく、けらば部の美観を良好にすることができるものである。また、軒側の袖瓦１の凹段部５と棟側の袖瓦１の軒側端部との重なりにより、軒棟方向と垂直な方向に隙間ができて屋根下地が露出するようなことがないので、雨が斜め方向に降った場合でも雨水が直接屋根下地にかからず、屋根の防水性を良好にすることができるものである。そして、袖瓦側片３の下部の先端の端縁が形成するライン（下部ライン）は、袖瓦側片３が台形状になることによって略直線状に形成されており、野地不陸や袖瓦寸法のバラツキによる直線性の乱れを目立たなくすることができるものである。
【００２７】
このように本発明の屋根のけらば構造にあっては、袖瓦を軒棟方向に取り付ける際に、袖瓦側片３に形成された凹段部５に棟側の袖瓦１の軒側端部を軒棟方向での重ね合わせ幅を調節自在に重ねて屋根のけらば部を形成することができる。したがって、袖瓦側片３を軒棟方向と垂直な方向で揃えて複数の袖瓦１を取り付けることができ、けらば部の美観を良好にすることができるものである。また、袖瓦１を切断加工することなく袖瓦１の軒棟方向の働き寸法を調節することができるので、施工の手間を省くとともに廃材の発生をなくして施工コストを低減させることができるものである。
【００２８】
図３（ａ）は、本発明の屋根のけらば構造の実施の形態の他の一例に用いる袖瓦１の斜視図である。この袖瓦１においては、凹段部５の軒棟方向と平行な面である凹段底面１１の表面に、上下方向に亘って切り込まれた溝部６が形成されており、この溝部６は軒棟方向に沿って一定のピッチで複数本設けられている。各溝部６は、溝幅及び溝深さが略同一であり、袖瓦側片３の上端から下端にかけて袖瓦側片３の凹段側面１２と略平行な直線状に形成されている。この実施の形態では、溝部６は上下方向の断面が半円状になって切り込まれている。
【００２９】
図３（ｂ）は、図３（ａ）の袖瓦１を用いた屋根のけらば構造の一例であり、上下方向の断面図を示している。凹段底面１１に形成された溝部６のうちいくつかは棟側に重ねられた袖瓦１によって覆われると共に、それ以外の溝部６は外部に露出している。なお、図３（ｂ）において、３０は屋根下地である。
【００３０】
この実施の形態によれば、溝部６が軒棟方向に沿って一定のピッチで複数本設けられていることにより、袖瓦１を重ね合わせる際に、この溝部６や溝部６の間の所定の位置に、他の袖瓦１の軒側端部を重ねることにより重ね合わせ幅を一定に調節することができる。例えば図３（ｂ）では、各袖瓦１の凹段部５の棟側先端から３番目の溝部６の端縁に、棟側の袖瓦１の袖瓦側片３の軒側先端を合わせた様子を示している。このように、溝部６を重ね合わせの目印として機能させることができるので、一定のピッチで袖瓦１を取り付けて美観を整えることができるとともに、施工性を向上させることができるものである。また、軒棟方向で隣り合う袖瓦側片３の隙間から毛細管現象で雨水が浸入してきた場合でも、凹段部５の凹段底面１１に形成された溝部６が水切溝として働くことができる。したがって、この溝部６が水切りして雨水の浸入を防ぐことができるので、けらば部の防水性を向上することができるものである。
【００３１】
図４は、本発明の屋根のけらば構造の実施の形態の他の一例に用いる袖瓦１の斜視図である。この袖瓦１においては、凹段底面１１の表面も含め、屋根側面を形成する側の袖瓦側片３の表面に、上下方向に亘って切り込まれた溝部６が形成されており、この溝部６は軒棟方向に沿って袖瓦側片３の軒側から棟側にかけて一定のピッチで複数本設けられている。各溝部６は、溝幅及び溝深さが略同一であり、袖瓦側片３の上端から下端にかけて袖瓦側片３の凹段側面１２と略平行な直線状に形成されている。この実施の形態では、溝部６は上下方向の断面が半円状になって切り込まれている。
【００３２】
この実施の形態によれば、図３の形態の効果に加えて、複数の溝部６が屋根の側面で軒棟方向に沿って連続した縦縞模様を形成するので、袖瓦側片３の凹段部５によりけらば部に発生する段差や、袖瓦１の重なりにより凹段底面１１と袖瓦側片３の内面との間で発生する隙間を目立ちにくくすることができ、美観をさらに向上することができるものである。
【００３３】
図５（ａ）は、本発明の屋根のけらば構造の実施の形態の他の一例であり、図５（ｂ）は、このような屋根のけらば構造に用いる袖瓦１の一例を示している。この袖瓦１は、凹段部５の形状が異なっている以外は、図２のものと概略同じである。図５（ｂ）のものにあっては、袖瓦側片３の棟側端部に、軒棟方向と垂直な方向の屋根内側に向かって傾斜した傾斜面１６を形成する傾斜片１５によって上下方向に亘って凹段された、テーパー状の凹段部５が設けられている。凹段部５の凹段寸法、すなわち傾斜面１６の棟側先端から棟側先端までの軒棟方向と垂直な方向の長さは、袖瓦側片３の軒側端部の厚み寸法よりも長く形成されている。それにより、棟側で隣り合う袖瓦１を取り付ける際に、袖瓦１の軒側端部を軒側に取り付けられた袖瓦１の凹段部５の外側から重ねるとともに軒棟方向と垂直な方向の配置を軒側に取り付けられた袖瓦１に揃えて袖瓦１を位置あわせすることができるようになっている。また、凹段部５（傾斜面１６）の軒棟方向と平行な長さは、袖瓦側片３の軒棟方向の全長の半分よりも短く形成されている。
【００３４】
この実施の形態によれば、凹段部５と袖瓦側片３の軒側端部とが重なる部分（図示のＡ）をより自然な感じで見せることができ、美観を良好にして意匠性を向上することができるものである。
【００３５】
図６（ａ）は、図５（ａ）のような屋根のけらば構造に用いる袖瓦１の他の一例を示している。図６（ａ）のものにあっては、袖瓦側片３の棟側端部に、軒棟方向と垂直な方向の屋根内側に向かって傾斜した傾斜面１６を形成する傾斜片１５と、この傾斜片１５の棟側の先端部から軒棟方向と垂直な方向の屋根外側に向かって突出した突出片１７によって、上下方向に亘って凹段された凹段部５が設けられている。突出片１７は、その先端が屋根に取り付けられた際に袖瓦側片３の軒側端部の内面よりも内側に配置するように形成されている。それにより、棟側で隣り合う袖瓦１を取り付ける際に、袖瓦１の軒側端部を軒側に取り付けられた袖瓦１の凹段部５の外側から重ねるとともに軒棟方向と垂直な方向の配置を軒側に取り付けられた袖瓦１に揃えて袖瓦１を位置あわせすることができるようになっている。凹段部５の軒棟方向の長さは、袖瓦側片３の軒棟方向の全長の半分よりも長く形成されている。
【００３６】
図６（ｂ）は、図６（ａ）の袖瓦１を用いた屋根のけらば構造の一例であり、上下方向の断面図を示している。図示のように、袖瓦側片３の軒側端部には、屋根下地３０に重ねられる面（内側の面）に、軒棟方向と垂直な方向に傾斜して上下方向に亘って切り欠かれた切欠部１８が形成されている。この実施の形態においては、袖瓦１が重なり合う際に、棟側の袖瓦１の袖瓦側片３の切欠部１８が棟側の袖瓦１の凹段部５に重なって隣り合う袖瓦１同士の袖瓦側片３の表面が近づくため、凹段部５によってできる段差をより小さくして凹段部５と袖瓦側片３の軒側端部とが重なる部分（図５（ａ）のＡ）をより自然な感じで見せることができ、美観をさらに良好にすることができるものである。また、凹段部５と袖瓦側片３との隙間から雨水が浸入してきた場合でも、突出片１７が水切りをして水の進行を止めることができるので、けらば部の防水性を向上することができるものである。
【００３７】
なお、図５及び図６の形態にあっても、凹段部５や袖瓦側片３の表面に、上下方向に切り込まれた溝部６を軒棟方向に沿って複数設けてもよい。
【００３８】
上記の各実施の形態では、屋根の両側端部にけらば部を有する切妻屋根に屋根瓦を取り付けた構造を説明したが、本発明はこれに限られない。例えば、けらば部とは反対側の屋根側端部が隅棟となっているような屋根構造であってもよい。
【符号の説明】
【００３９】
１    袖瓦
２    袖瓦本片
３    袖瓦側片
５    凹段部
６    溝部
【図１】
2010275767.tif 000003
【図２】
2010275767.tif 000004
【図３】
2010275767.tif 000005
【図４】
2010275767.tif 000006
【図５】
2010275767.tif 000007
【図６】
2010275767.tif 000008
【図７】
2010275767.tif 000009
【図８】
2010275767.tif 000010